(57)【要約】【課題】大型化を防ぎつつ、上端部の樹脂断熱材が外れにくいように構成されたグリル扉を提供する。【解決手段】本発明は、扉本体４の上端面に樹脂断熱材７が設けられたグリル扉３である。扉本体４の上端面に設けられた係止孔４４と、樹脂断熱材７に突設され係止孔４４に係止される係止爪７３とを備えている。係止爪７３は、係止孔４４に挿入された状態で樹脂断熱材７を扉本体４の上端面に沿ってスライド移動することで、係止爪７３の挿入方向に係止される。そして、グリル扉３は、移動規制手段をさらに備えている。移動規制手段は、係止孔４４に係止爪７３が係止された状態で樹脂断熱材７のスライド移動方向とは反対方向への移動を規制する。【選択図】図５
2014214945.tif 000002
【特許請求の範囲】
【請求項１】
扉本体の上端面を覆うようにして樹脂断熱材が設けられたグリル扉であって、
前記扉本体の上端面に設けられた係止孔と、
前記樹脂断熱材に突設され前記係止孔に係止される係止爪と
を備え、
前記係止爪は、前記係止孔に挿入された状態で前記樹脂断熱材を前記扉本体の上端面に沿ってスライド移動することで、前記係止爪の挿入方向に係止されるものであり、
前記係止孔に前記係止爪が係止された状態で前記樹脂断熱材の前記スライド移動方向とは反対方向への移動を規制する移動規制手段をさらに備えている
ことを特徴とするグリル扉。
【請求項２】
前記扉本体に設けられ前後方向に開口する窓開口と、
この窓開口を覆うようにして設けられた透過板と、
前記扉本体の上端面に固着具を介して取り付けられ前記透過板を固定する固定板と
を備え、
前記固着具は、頭部が前記固定板に当接した状態で当該固定板を固定するものであり、
前記移動規制手段が前記固着具により構成されており、前記固着具の頭部の側部が、前記樹脂断熱材を前記スライド移動方向とは反対方向へ移動するのを規制するものである
ことを特徴とする請求項１記載のグリル扉。
【請求項３】
前記固定板には前記係止爪が挿通される挿通孔が設けられ、
前記係止爪は、前記係止孔に係止される第一係止部と、前記固定板の挿通孔の開口周縁に係止される第二係止部とを有しており、
前記係止孔と前記挿通孔とが連通した状態で前記係止爪が挿入され、この状態で固定板が前記スライド移動方向にスライド移動すると、前記樹脂断熱材がスライド移動し、これにより、前記係止孔に前記第一係止部が係止され、前記挿通孔の開口周縁に前記第二係止部が係止されるものである
ことを特徴とする請求項２記載のグリル扉。
【請求項４】
前記係止爪は前記スライド方向に延出する第一横片を備えており、
この第一横片の上面は、前記スライド方向とは反対側に向かうほど上方に位置するように傾斜している
ことを特徴とする請求項１乃至請求項３のいずれか一項に記載のグリル扉。
【請求項５】
前記第二係止部は前記スライド方向とは反対側に延出する第二横片を備えており
この第二横片の上面は、前記スライド方向に向かうほど上方に位置するように傾斜している
ことを特徴とする請求項３又は請求項４に記載のグリル扉。
【請求項６】
前記固定板は複数の固着具を介して前記扉本体の上端面に取り付けられており、
前記移動規制手段が、前記複数の固着具のうちの一つの固着具により構成されている
ことを特徴とする請求項２乃至請求項５のいずれか一項に記載のグリル扉。
【発明の詳細な説明】
【技術分野】
【０００１】
本発明は、グリル庫の前開口を覆うグリル扉に関する。
【背景技術】
【０００２】
特許文献１には、従来のグリル扉が開示されている。特許文献１記載の調理器は、グリル庫と、このグリル庫の前方開口を開閉自在に覆うグリル扉とを備えている。このグリル扉の上端部には、断熱材が取り付けられている。この断熱材は、グリル扉の上端面を上方から覆うよう、グリル扉の上端に嵌め込むようにして固定されている。
【先行技術文献】
【特許文献】
【０００３】
【特許文献１】特開２００３−９３２４２号公報
【発明の概要】
【発明が解決しようとする課題】
【０００４】
この特許文献１記載のグリル扉は、上端部に断熱材が取り付けられているため、ユーザーがグリル扉の上端部に触れたときの熱さを緩和することができる。しかしながら、この断熱材は、グリル扉の上端部に嵌め込むだけで固定されたものであるため、グリル庫への被加熱物の出し入れの際に、ユーザーの手が断熱材に触れると、この断熱材が外れる場合がある。
【０００５】
そこで、この断熱材を外れにくくするために、グリル扉の上端部にねじ等の固着具を介して断熱材を固定することが考えられる。
【０００６】
しかしながら、この特許文献１のグリル扉の断熱材を、単に固着具で固定する構造にした場合には、断熱材の厚さだけでなく、この断熱材の厚さに固着具の頭部の上下厚さを加えた寸法が、グリル扉本体（つまり、断熱材と固着具とが設けられていないもの）の上端面から突出することになる。
【０００７】
この場合、グリル扉が大型化してしまい、グリル庫の前方開口を大きくする必要が生じるという問題がある。
【０００８】
本発明は、上記事情に鑑みてなされたものであり、その目的とするところは、大型化を防ぎつつ、上端部の樹脂断熱材が外れにくいように構成されたグリル扉を提供することにある。
【課題を解決するための手段】
【０００９】
本発明のグリル扉は、扉本体の上端面を覆うようにして樹脂断熱材が設けられたグリル扉であって、前記扉本体の上端面に設けられた係止孔と、前記樹脂断熱材に突設され前記係止孔に係止される係止爪とを備え、前記係止爪は、前記係止孔に挿入された状態で前記樹脂断熱材を前記扉本体の上端面に沿ってスライド移動することで、前記係止爪の挿入方向に係止されるものであり、前記係止孔に前記係止爪が係止された状態で前記樹脂断熱材の前記スライド移動方向とは反対方向への移動を規制する移動規制手段をさらに備えていることを特徴とする。
【００１０】
またこのグリル扉において、前記扉本体に設けられ前後方向に開口する窓開口と、この窓開口を覆うようにして設けられた透過板と、前記扉本体の上端面に固着具を介して取り付けられ前記透過板を固定する固定板とを備え、前記固着具は、頭部が前記固定板に当接した状態で当該固定板を固定するものであり、前記移動規制手段が前記固着具により構成されており、前記固着具の頭部の側部が、前記樹脂断熱材を前記スライド移動方向とは反対方向へ移動するのを規制するものであることが好ましい。
【００１１】
またこのグリル扉において、前記固定板には前記係止爪が挿通される挿通孔が設けられ、前記係止爪は、前記係止孔に係止される第一係止部と、前記固定板の挿通孔の開口周縁に係止される第二係止部とを有しており、前記係止孔と前記挿通孔とが連通した状態で前記係止爪が挿入され、この状態で固定板が前記スライド移動方向にスライド移動すると、前記樹脂断熱材がスライド移動し、これにより、前記係止孔に前記第一係止部が係止され、前記挿通孔の開口周縁に前記第二係止部が係止されるものであることが好ましい。
【００１２】
また、このグリル扉において、前記係止爪は前記スライド方向に延出する第一横片を備えており、この第一横片の上面は、前記スライド方向とは反対側に向かうほど上方に位置するように傾斜していることが好ましい。
【００１３】
また、このグリル扉において、前記第二係止部は前記スライド方向とは反対側に延出する第二横片を備えており、この第二横片の上面は、前記スライド方向に向かうほど上方に位置するように傾斜していることが好ましい。
【００１４】
また、このグリル扉において、前記固定板は複数の固着具を介して前記扉本体の上端面に取り付けられており、前記移動規制手段が、前記複数の固着具のうちの一つの固着具により構成されていることが好ましい。
【発明の効果】
【００１５】
本発明のグリル扉によれば、大型化を防ぎつつ、上端部の樹脂断熱材を外れにくくすることができる。
【図面の簡単な説明】
【００１６】
【図１】本実施形態の加熱調理器の斜視図である。
【図２】本実施形態のグリル扉の側断面図である。
【図３】本実施形態のグリル扉の前方からみた分解斜視図である。
【図４】本実施形態のグリル扉の一部破断背面図である。
【図５】（ａ）〜（ｄ）は、本実施形態のグリル扉の組立状態を説明するための要部断面図である。
【発明を実施するための形態】
【００１７】
以下、本発明の実施形態について添付図面に基づいて説明する。
【００１８】
本実施形態のグリル扉３は、図１に示すように、グリル付きの加熱調理器１に用いられる。グリル扉３は、加熱調理器１のグリル庫２に開閉自在に取り付けられる。
【００１９】
加熱調理器１としては、例えば、こんろバーナを備えたガスこんろや、電熱線等を用いた加熱部を有する電気こんろや、電磁調理器（ＩＨ（Induction Heating）調理器）であってもよく、また、ドロップインこんろ（ビルトイン型のこんろ）や、テーブルこんろや、こんろ部を備えない単独のグリル調理器であってもよく、特に限定されない。なお、本実施形態の加熱調理器１は、グリル付きガスドロップインこんろである。
【００２０】
加熱調理器１は、グリル庫２を備えている。グリル庫２は、被加熱物を内部に収容して、この被加熱物を加熱する。グリル庫２は、図２に示すように、筐体２１と、グリルバーナ（図示せず）とを備えている。
【００２１】
筐体２１は、有底箱形状に形成されており、前方開口２２を有している。前方開口２２は、前方に向かって開口している。
【００２２】
グリルバーナは、グリル庫２の熱源となるものであり、筐体２１の内部に設けられている。グリルバーナは、筐体２１の内部の上下方向の両側に設けられている。なお、グリルバーナは、上下方向の両側に設けられたものに限らず、左右方向の両側に設けられてもよいし、上下方向のいずれか一方にのみ設けられたものであってもよい。
【００２３】
グリル扉３は、グリル庫２の前方開口２２に取り付けられる。グリル扉３は、グリル庫２にレール（図示せず）を介して引き出し自在となっている。つまり、グリル扉３は、グリル庫２に開閉自在に設けられている。グリル扉３は、扉本体４と、透過板５と、固定板６と、樹脂断熱材７とを備えている。
【００２４】
扉本体４は、グリル扉３の主体を構成する。扉本体４は、上下方向に高さを有し、左右方向に長さを有し、これにより正面視矩形状をしている。扉本体４は、本体部４０と、カバー体４７とを備えている。
【００２５】
本体部４０は、扉本体４の後方側の側面を構成する。本体部４０の左右方向の両端には、前方に向かって延出する側面部４１（図３参照）が設けられている。また、本体部４０の上部（上下方向の中央よりも上方の箇所）には、前方に向かって膨出する膨出部４２が設けられている。膨出部４２は、扉本体４の左右方向の略全長に亙って設けられている。膨出部４２の先端は、平坦面となっている。また、本体部４０の上端には、前方に向かって延出する上面部４３が設けられている。上面部４３の上面は、扉本体４の上端面を構成する。このような本体部４０は、例えば、金属板をプレス機等により、曲げ加工することで構成されている。
【００２６】
また、上面部４３には、図３に示すように、係止孔４４と、固定孔４５とが設けられている。係止孔４４は、左右方向に複数設けられている（具体的には、４箇所に設けられている）。係止孔４４は、上面部４３を上下方向に貫通する。係止孔４４は、左右方向に長さを有し、前後方向に幅を有している。また、固定孔４５は、内周面にねじ部が設けられている。固定孔４５には、固着具９０（ねじ具）が螺合される。
【００２７】
また、膨出部４２の先端には、窓開口４６が設けられている。窓開口４６は、前後方向に開口しており、グリル扉３がグリル庫２を閉じた状態でグリル庫２の内外を連通する。
【００２８】
カバー体４７は、図２に示すように、扉本体４の前方下方の側面を構成する。カバー体４７は、例えば、合成樹脂により構成されている。カバー体４７の前面には把持部４８が設けられている。把持部４８は、扉本体４の前面の左右方向の略全長に亙って設けられている。ユーザーは、把持部４８を掴んでグリル扉３を引き出すことで、グリル庫２を開放することができる。
【００２９】
また、カバー体４７の後面の上端部には、窓支持部４９が設けられている。窓支持部４９は、断面Ｌ字状に形成されている。窓支持部４９には、透過板５が載設される。
【００３０】
透過板５は、窓開口４６を覆うようにして取り付けられる。透過板５は、透明な板材により構成されている。透過板５は、例えば、矩形状のガラス板により構成される。透過板５は、窓支持部４９上に支持され、膨出部４２の先端に当接するように配置されることで窓開口４６を覆う。
【００３１】
透過板５は、扉本体４の側面部４１の間に配置されており、左右方向の移動がこの側面部４１により規制される。また、透過板５は、窓支持部４９上に載置された状態で、扉本体４の上端面に後述の固定板６が固定されると、前後方向および上下方向の移動が規制される。
【００３２】
固定板６は、図３に示すように、固定片６１と、支持片６２とにより構成されており、断面Ｌ字状に形成されている。固定片６１は、扉本体４の上端面（つまり、上面部４３の上面）に固着具９０を介して取り付けられる。つまり、固定板６は、扉本体４の上端面に固着具９０を介して取り付けられている。固定片６１は、扉本体４の上端面に面状に当接している。支持片６２は、透過板５の前面に当接するように配置され、これにより、透過板５を前後方向に支持固定する。固定板６は、例えば、金属板をプレス機等により曲げ加工することで形成されている。
【００３３】
固定板６の固定片６１には、挿通孔６３が設けられている。挿通孔６３には、後述の樹脂断熱材７の係止爪７３が挿入される。挿通孔６３は、左右方向に長さを有し、前後方向に幅を有している。挿通孔６３は、固定板６が扉本体４に取り付けられると、図５（ｄ）に示すように、本体部４０の係止孔４４とは左右方向にずれており、且つ、挿通孔６３の左右方向の一部が、本体部４０の係止孔４４の一部に連通するように配置される。
【００３４】
また固定片６１には、図３に示すように、固着具挿通孔６４が設けられている。本実施形態の固定片６１は、図４に示すように、固着具挿通孔６４として、第一孔６５と、第二孔６６とを備えている。第二孔６６は、左右方向に長い長孔により構成されている。この固着具挿通孔６４は、扉本体４の固定孔４５のピッチと同じ寸法に形成される。
【００３５】
樹脂断熱材７は、図３に示すように、固定板６を覆うようにして取り付けられる。樹脂断熱材７は、扉本体４の上端面を覆うようにして設けられている。樹脂断熱材７は、例えば、硬質の合成樹脂により構成されており、耐熱温度の高い熱可塑性樹脂が用いられる。樹脂断熱材７は、金属製の固定板６と金属製の本体部４０の上端面とを覆うことで、ユーザー等が高温の金属部分に接触してしまうのを防ぐことができる。
【００３６】
樹脂断熱材７は、左右方向に長さを有している。樹脂断熱材７は、横覆部７１と、縦覆部７２とを備えており、断面横倒し略Ｌ字状に形成されている。樹脂断熱材７は、例えば、射出成形により一体成形されている。
【００３７】
横覆部７１は、樹脂断熱材７が固定板６の上方に取り付けられると、固定片６１の上方に重ねられ、当該固定片６１を覆う。横覆部７１は、左右方向に長さを有し、前後方向に幅を有している。また、縦覆部７２は、横覆部７１の幅方向の前端から下方に向かって延出している。縦覆部７２は、上下方向に幅を有し、左右方向に長さを有している。縦覆部７２は、樹脂断熱材７が固定板６の上方に取り付けられると、支持片６２の前方に重ねられて、当該支持片６２を覆う。
【００３８】
横覆部７１の下面には、下方に向かって突出する係止爪７３が設けられている。係止爪７３は、左右方向の複数箇所に設けられている。係止爪７３のピッチは、挿通孔６３のピッチおよび係止爪７３のピッチと略同寸に形成されている。係止爪７３は、係止孔４４に挿入された状態で、樹脂断熱材７を扉本体４の上端面に沿ってスライド移動することで、係止孔４４に係止される。
【００３９】
各係止爪７３は、図５に示すように、第一係止部７４と、第二係止部７７とにより構成されており、逆Ｔ字状に形成されている。第一係止部７４は、図５（ｄ）に示すように、本体部４０の係止孔４４の下縁部に係止される。第二係止部７７は、固定板６の挿通孔６３の開口周縁に係止される。
【００４０】
第一係止部７４は、縦片７５と、第一横片７６とにより構成されている。第一横片７６は、縦片７５の下端から図５中の矢印Ｄ１方向（以下、この方向を第一の方向Ｄ１という）に沿って延出している。なお、第一の方向Ｄ１とは反対側に向かう方向は、第二の方向Ｄ２として定義される。
【００４１】
第一横片７６の上面の第一の方向Ｄ１の先端は、図５（ｄ）に示すように、樹脂断熱材７の係止爪７３が扉本体４の係止孔４４に係止された状態で、扉本体４の上面部４３の下面よりも下方に位置している。また、第一横片７６の上面の第二の方向Ｄ２の先端は、樹脂断熱材７の係止爪７３が扉本体４の係止孔４４に係止された状態で、上面部４３の下面と同じ高さに位置している。言い換えると、第一横片７６の上面は、第二の方向Ｄ２に向かうほど、上方に位置するように傾斜している。
【００４２】
第二係止部７７は、縦片７５と、第二横片７８とにより構成されている。第二横片７８は、縦片７５の下端から第二の方向Ｄ２に沿って延出している。
【００４３】
第二横片７８の上面の第二の方向Ｄ２の先端は、樹脂断熱材７の係止爪７３が固定板６の挿通孔６３に係止された状態で、固定板６の固定片６１の下面よりも下方に位置している。また、第二横片７８の上面の第一の方向Ｄ１の先端は、樹脂断熱材７の係止爪７３が固定板６の挿通孔６３に係止された状態で、固定片６１の下面と同じ高さに位置している。言い換えると、第二横片７８の上端面は、第一の方向Ｄ１に向かうほど、上方に位置するように傾斜している。
【００４４】
また、横覆部７１には、図３に示すように、貫通孔７９が設けられている。貫通孔７９は、横覆部７１を上下方向に貫通する。貫通孔７９は、扉本体４の固定孔４５と略同芯位置に設けられている。本実施形態のグリル扉３は、図５（ａ）に示すように、貫通孔７９として、第一貫通孔８０と、第二貫通孔８１とを備えている。第一貫通孔８０は、複数の貫通孔７９のうちの一つだけの貫通孔７９であり、第二貫通孔８１は、貫通孔７９における第一貫通孔８０以外の貫通孔７９である。
【００４５】
第一貫通孔８０は、丸孔により構成されている。第一貫通孔８０は、固定板６の第一孔６５と同じ位置に設けられている。第一貫通孔８０は、平面視において、固着具９０の頭部の外形と略同じ大きさに形成されている。これにより、扉本体４に樹脂断熱材７が取り付けられると、第一貫通孔８０の内周面と、固着具９０の頭部の側部とが当接または近接対向するように構成されている。
【００４６】
第二貫通孔８１は、左右方向に長さを有する長孔により構成されている。第二貫通孔８１は、固定板６の第二孔６６と同じ位置に設けられている。第二貫通孔８１の左右方向の長さは、第一貫通孔８０よりも長く形成されている。これにより、扉本体４に樹脂断熱材７が取り付けられると、第二貫通孔８１の内周面と、固着具９０の頭部の側部との間には、間隙が形成される。
【００４７】
このような構成の扉本体４と、固定板６と、樹脂断熱材７とは、次のようにして組み立てられる。
【００４８】
まず、図５（ａ）に示すように、固定板６を扉本体４の上端面に載置する。このとき、固定板６の挿通孔６３と、扉本体４の係止孔４４との中心が一致するようにして、固定板６を配置する。この状態で、固定板６の挿通孔６３に向かって樹脂断熱材７の係止爪７３を挿入するようにして、固定板６の上方に樹脂断熱材７を重ねる。
【００４９】
次いで、図５（ｂ）に示すように、固定板６を第一の方向Ｄ１にスライド移動させる。すると、固定板６の挿通孔６３の開口周縁が、係止爪７３の第二横片７８を乗り越え、その後、縦片７５に当接する（図５（ｃ））。このとき、第二係止部７７は固定板６の下面に当接する。また、固定板６の第二の方向の端部は、樹脂断熱材７の下方に入り込む。
【００５０】
この状態から、さらに、樹脂断熱材７を第一の方向Ｄ１にスライド移動させると、係止爪７３の第一横片７６の上面は、係止孔４４の開口周縁に摺接しながら移動し、その後、係止孔４４が縦片７５に当接する。このとき、第一係止部７４は、扉本体４の上面部４３の下面に当接し、係止孔４４の開口周縁に上下方向に係止される。これにより、係止孔４４の開口周縁に第一係止部７４が係止され、挿通孔６３の開口周縁に第二係止部７７が係止される。
【００５１】
本実施形態のグリル扉３は、係止孔４４に係止爪７３が係止された状態で、樹脂断熱材７の左右方向への移動を規制する移動規制手段９１を備えている。移動規制手段９１は、樹脂断熱材７が、少なくとも第二の方向Ｄ２へ移動するのを規制する。本実施形態の移動規制手段９１は、第一貫通孔８０と第一孔６５とに挿通される固着具９０により構成されている。
【００５２】
固着具９０は、係止孔４４の開口周縁に係止爪７３が係止された状態で固定孔４５に螺合される。固着具９０の頭部の下面は、固定板６の上面に当接し、これにより、固定板６を固定する。また、固着具９０の頭部は、貫通孔７９の内部に収容配置され、固着具９０の側部が、第一貫通孔８０の内周面に当接または近接対向する。これにより、樹脂断熱材７は、左右方向への移動が規制される。
【００５３】
このように本実施形態の樹脂断熱材７は、第一係止部７４が扉本体４の係止孔４４の開口周縁に係止され、第二係止部７７が固定板６の挿通孔６３の開口周縁に係止され、移動規制手段９１により係止状態に保持される。これにより、樹脂断熱材７は扉本体４の上端部に取り付けられる。
【００５４】
本実施形態の移動規制手段９１は、固着具９０により構成される。固着具９０の頭部は、樹脂断熱材７の貫通孔７９の内部に収容配置されており、つまり、固着具９０の頭部の上端面は、樹脂断熱材７の上端面から非突出となっている。
【００５５】
また、第二貫通孔８１および固定板６の第二孔６６は、長孔により構成されているため、扉本体４の固定孔４５のピッチと、固定板６の挿通孔６４のピッチと、貫通孔７９のピッチとに誤差が生じた場合であっても、各固着具９０の頭部の下面が、固定板６の上面に当接した状態とすることができる。
【００５６】
以上説明したように、本実施形態のグリル扉３は、扉本体４の上端面を覆うようにして樹脂断熱材７が設けられたグリル扉３である。グリル扉３は、扉本体４の上端面に設けられた係止孔４４と、樹脂断熱材７に突設され係止孔４４に係止される係止爪７３とを備えている。係止爪７３は、係止孔４４に挿入された状態で、樹脂断熱材７を扉本体４の上端面に沿ってスライド移動することで、係止爪７３の挿入方向に係止される。そして、本実施形態のグリル扉３は、係止孔４４に係止爪７３が係止された状態で、樹脂断熱材７のスライド移動方向とは反対方向（第二の方向Ｄ２）への移動を規制する移動規制手段９１をさらに備えている。
【００５７】
このため、本実施形態の樹脂断熱材７は、扉本体４に対し、係止爪７３と係止孔４４とによって上下方向に移動規制され、この係止爪７３と係止孔４４との係止状態を移動規制手段９１によって保持されている。このため、本実施形態のグリル扉３によれば、移動規制手段９１が樹脂断熱材７のスライド方向の移動のみ規制すればよく、樹脂断熱材７の上方から固着具９０等により押さえつける必要がないため、扉本体４の上端面からの突出量を抑えることができる。この結果、樹脂断熱材７を外れにくくしながら、グリル扉３の高さ方向の寸法を短くすることができ、グリル扉３の大型化を防ぐことができる。
【００５８】
また、本実施形態のグリル扉３は、扉本体４に設けられ前後方向に開口する窓開口４６と、この窓開口４６を覆うようにして設けられた透過板５と、扉本体４の上端面に固着具９０を介して取り付けられ透過板５を固定する固定板６とを備えている。固着具９０は、頭部が固定板６に当接した状態で当該固定板６を固定する。そして、移動規制手段９１は、固着具９０により構成されており、固着具９０の頭部の側部が、樹脂断熱材７をスライド移動方向とは反対方向へ移動するのを規制するものである。
【００５９】
このように本実施形態のグリル扉３は、固着具９０の頭部が、固定板６に当接した状態でこの固定板６を固定するものであるため、万が一、樹脂断熱材７が破損した場合であっても、固定板６の固定状態が保たれる。このため、樹脂断熱材７が破損しても、透過板５が外れてしまうのを防ぐことができる。
【００６０】
また、本実施形態の固定板６には、係止爪７３が挿通される挿通孔６３が設けられている。係止爪７３は、係止孔４４に係止される第一係止部７４と、固定板６の挿通孔６３の開口周縁に係止される第二係止部７７とを有している。係止孔４４と挿通孔６３とが連通した状態で係止爪７３が挿入され、この状態で固定板６がスライド移動方向（第一の方向Ｄ１）にスライド移動すると、樹脂断熱材７がスライド移動し、これにより、係止孔４４に第一係止部７４が係止され、挿通孔６３の開口周縁に第二係止部７７が係止される。
【００６１】
このため、本実施形態の樹脂断熱材７は、第一係止部７４と扉本体４とが係止し、且つ第二係止部７７と固定板６とが係止して、扉本体４に固定されたものであるため、強固に固定されている。このため、本実施形態のグリル扉３によれば、樹脂断熱材７を強固に固定することができる。
【００６２】
また、本実施形態の係止爪７３は、スライド方向（第一の方向Ｄ１）に延出する第一横片７６を備えている。この第一横片７６の上面は、スライド方向とは反対側に向かうほど上方に位置するように傾斜している。
【００６３】
このため、本実施形態のグリル扉３によれば、組み立ての際、樹脂断熱材７のスライド方向への移動を行いやすくできるだけでなく、第一横片７６を扉本体４に強固に当接することができる。このため、樹脂断熱材７と扉本体４との取付け状態において、樹脂断熱材７のガタつきを防ぐことができる。
【００６４】
また、本実施形態の第二係止部７７は、スライド方向とは反対側に延出する第二横片７８を備えている。この第二横片７８の上面は、スライド方向に向かうほど上方に位置するように傾斜している。
【００６５】
このため、本実施形態のグリル扉３によれば、組み立ての際、固定板６のスライド方向への移動を行いやすくできるだけでなく、第二横片７８を固定板６に強固に当接することができる。このため、樹脂断熱材７と扉本体４との取付け状態において、樹脂断熱材７のガタつきを防ぐことができる。
【００６６】
また、本実施形態の固定板６は、複数の固着具９０を介して前記扉本体４の上端面に取り付けられている。移動規制手段９１は、複数の固着具９０のうちの一つの固着具９０により構成されている。
【００６７】
このように、本実施形態のグリル扉３は、固定板６が複数の固着具９０によって扉本体４に強固に固定することができるものでありながら、移動規制手段９１が、複数の固着具９０のうちの一つの固着具９０により構成されている。このため、仮に、移動規制手段９１が、複数の固着具９０のうちの全ての固着具９０によって構成されている場合には、固着具９０のピッチを高精度にする必要がある。これに対し、本実施形態のグリル扉３によれば、移動規制手段９１が、複数の固着具９０のうちの一つの固着具９０により構成されているから、固着具９０のピッチが高精度である必要がなく、コストを低減させることができる。
【００６８】
なお、本実施形態の係止爪７３は、第一係止部７４と第二係止部７７とが一体に形成されたものであるが、それぞれ別の箇所に設けられたものであってもよい。
【符号の説明】
【００６９】
１      加熱調理器
２      グリル庫
２２    前方開口
３      グリル扉
４      扉本体
４０    本体部
４３    上面部
４４    係止孔
４５    固定孔
５      透過板
６      固定板
６１    固定片
６２    支持片
６３    挿通孔
６５    第一孔
６６    第二孔
７      樹脂断熱材
７１    横覆部
７２    縦覆部
７３    係止爪
７４    第一係止部
７５    縦片
７６    第一横片
７７    第二係止部
７８    第二横片
７９    貫通孔
８０    第一貫通孔
８１    第二貫通孔
【図１】
2014214945.tif 000003
【図２】
2014214945.tif 000004
【図３】
2014214945.tif 000005
【図４】
2014214945.tif 000006
【図５】
2014214945.tif 000007